【手続補正書】
【提出日】平成20年2月22日(2008.2.22)
【手続補正１】
【補正対象書類名】特許請求の範囲
【補正対象項目名】全文
【補正方法】変更
【補正の内容】
【特許請求の範囲】
【請求項１】
画像を表示装置に表示するよう制御する表示制御手段と、
前記表示された画像上における位置の指定を受け付ける受け付け手段と、
前記受け付け手段による指定の受け付け後に、前記表示制御手段によって表示された画像に施すべき画像処理を複数の種別の画像処理の中から選択する選択手段と、
前記受け付け手段で受け付けた指定位置及び前記選択手段で選択された画像処理の種別に基づいて前記指定位置で指定される指定領域を決定する決定手段と
を備えることを特徴とする画像表示制御装置。
【請求項２】
前記表示された画像のうち、前記決定手段で決定された指定領域に基づいた領域に対して前記選択手段で選択された画像処理を施す画像処理手段を備えることを特徴とする請求項１記載の画像表示制御装置。
【請求項３】
前記決定手段は、前記画像処理の種別に応じて予め設定された形状の領域を指定領域として決定することを特徴とする請求項１又は２記載の画像表示制御装置。
【請求項４】
前記選択手段は、ユーザから指定された画像処理を選択することを特徴とする請求項１乃至３のいずれか１項に記載の画像表示制御装置。
【請求項５】
前記表示制御手段はさらに、前記表示された画像に施すべき画像処理を前記複数の種別の画像処理の中からユーザが指定するための画面を前記指定位置の近傍に表示するよう制御することを特徴とする請求項４記載の画像表示制御装置。
【請求項６】
前記受け付け手段は、前記指定位置として第１の位置の指定を受け付ける第１の受け付け手段と、前記指定位置として前記第１の位置とは異なる第２の位置の指定を受け付ける第２の受け付け手段とから成り、
前記表示制御手段は、前記第１の位置及び第２の位置のうち後に指定された位置の近傍に前記画面を表示するよう制御することを特徴とする請求項５記載の画像表示制御装置。
【請求項７】
前記選択手段は、前記受け付け手段で受け付けられた指定位置に基づいて画像処理を選択することを特徴とする請求項１乃至３のいずれか１項に記載の画像表示制御装置。
【請求項８】
前記表示された画像から所定の特徴を有する少なくとも１つの特徴領域を検出する検出手段を更に有し、
前記選択手段は、前記受け付け手段で受け付けられた指定位置と前記検出手段で検出した特徴領域との間における所定の関係に基づいて前記複数の種別の画像処理の中から少なくとも１つの画像処理を選択することを特徴とする請求項７記載の画像表示制御装置。
【請求項９】
前記表示制御手段は、前記表示された画像のうち、前記決定手段で決定された指定領域を識別可能に表示するように制御することを特徴とする請求項１乃至８のいずれか１項に記載の画像表示制御装置。
【請求項１０】
前記表示された画像を解析する解析手段をさらに備え、
前記決定手段は、前記選択手段により選択された画像処理の種別と、前記解析手段による解析結果とに応じて、前記指定領域を決定することを特徴とする請求項１乃至９のいずれか１項に記載の画像表示制御装置。
【請求項１１】
画像を表示装置に表示するよう制御する表示制御ステップと、
前記表示された画像上における位置の指定を受け付ける受け付けステップと、
前記受け付けステップでの指定の受け付け後に、前記表示制御ステップで表示された画像に施すべき画像処理を複数の種別の画像処理の中から選択する選択ステップと、
前記受け付けステップで受け付けた指定位置及び前記選択ステップで選択された画像処理の種別に基づいて前記指定位置で指定される指定領域を決定する決定ステップとを備えることを特徴とする画像表示制御方法。
【請求項１２】
画像表示制御方法をコンピュータに実行させるプログラムにおいて、前記画像表示制御方法は、
画像を表示装置に表示するよう制御する表示制御ステップと、
前記表示された画像上における位置の指定を受け付ける受け付けステップと、
前記受け付けステップでの指定の受け付け後に、前記表示制御ステップで表示された画像に施すべき画像処理を複数の種別の画像処理の中から選択する選択ステップと、
前記受け付けステップで受け付けた指定位置及び前記選択ステップで選択された画像処理の種別に基づいて前記指定位置で指定される指定領域を決定する決定ステップとを備えることを特徴とするプログラム。
【請求項１３】
請求項１２記載のプログラムを格納することを特徴とするコンピュータで読取り可能な記憶媒体。
【請求項１４】
画像を表示装置に表示するよう制御する表示制御手段と、
前記表示された画像上における領域の指定を受け付ける受け付け手段と、
前記表示された画像から所定の特徴を有する少なくとも１つの特徴領域を検出する検出手段と、
前記受け付け手段で受け付けた指定領域と前記検出手段によって検出した特徴領域との間における所定の関係に基づいて前記複数の種別の画像処理の中から少なくとも１つの画像処理を選択する選択手段と
を備えることを特徴とする画像表示制御装置。
【請求項１５】
前記選択された種別の画像処理を実行するか否かを設定する実行設定手段と、前記実行
設定手段により実行が設定された種別の画像処理を実行する画像処理手段とを備えること
を特徴とする請求項１４記載の画像処理装置。
【請求項１６】
前記所定の特徴は人物の顔に関する情報から成ることを特徴とする請求項１４又は１５記載の画像処理装置。
【請求項１７】
前記受け付け手段で受け付けた指定領域と前記検出手段によって検出した特徴領域との間における所定の関係は位置関係と面積比の少なくとも一方を含むことを特徴とする請求項１４乃至１６のいずれか１項に記載の画像表示制御装置。
【請求項１８】
画像を表示装置に表示するよう制御する表示制御ステップと、
前記表示された画像上における領域の指定を受け付ける受け付けステップと、
前記表示された画像から所定の特徴を有する少なくとも１つの特徴領域を検出する検出ステップと、
前記受け付けステップで受け付けた指定領域と前記検出ステップで検出した特徴領域との間における所定の関係に基づいて前記複数の種別の画像処理の中から少なくとも１つの画像処理を選択する選択ステップと
を備えることを特徴とする画像表示制御方法。
【請求項１９】
画像表示制御方法をコンピュータに実行させるプログラムにおいて、前記画像表示制御方法は、
画像を表示装置に表示するよう制御する表示制御ステップと、
前記表示された画像上における領域の指定を受け付ける受け付けステップと、
前記表示された画像から所定の特徴を有する少なくとも１つの特徴領域を検出する検出ステップと、
前記受け付けステップで受け付けた指定領域と前記検出ステップで検出した特徴領域との間における所定の関係に基づいて前記複数の種別の画像処理の中から少なくとも１つの画像処理を選択する選択ステップと
を備えることを特徴とするプログラム。
【請求項２０】
請求項１９記載のプログラムを格納することを特徴とするコンピュータで読取り可能な記憶媒体。
【手続補正２】
【補正対象書類名】明細書
【補正対象項目名】発明の名称
【補正方法】変更
【補正の内容】
【発明の名称】画像表示制御装置、画像表示制御方法、プログラム、及び記憶媒体
【手続補正３】
【補正対象書類名】明細書
【補正対象項目名】０００１
【補正方法】変更
【補正の内容】
【０００１】
本発明は、画像表示制御装置、画像表示制御方法、プログラム、及び記憶媒体に関し、特に、画像データに対して編集、補正、加工等の画像処理を施す画像表示制御装置、画像表示制御方法、プログラム、及び記憶媒体に関する。
【手続補正４】
【補正対象書類名】明細書
【補正対象項目名】００２０
【補正方法】変更
【補正の内容】
【００２０】
本発明の目的は、画像処理の種別に依存することのない共通した操作により複数の種別の画像処理を容易に使い分けることができ、ユーザの操作性を向上させることができる画像表示制御装置、画像表示制御方法、プログラム、及び記憶媒体を提供することにある。
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】変更
【補正の内容】
【００２２】
上記目的を達成するために、請求項１記載の画像表示制御装置は、画像を表示装置に表示するよう制御する表示制御手段と、前記表示された画像上における位置の指定を受け付ける受け付け手段と、前記受け付け手段による指定の受け付け後に、前記表示制御手段によって表示された画像に施すべき画像処理を複数の種別の画像処理の中から選択する選択手段と、前記受け付け手段で受け付けた指定位置及び前記選択手段で選択された画像処理の種別に基づいて前記指定位置で指定される指定領域を決定する決定手段とを備えることを特徴とする。
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】変更
【補正の内容】
【００２８】
上記目的を達成するために、請求項１１記載の画像表示制御方法は、画像を表示装置に表示するよう制御する表示制御ステップと、前記表示された画像上における位置の指定を受け付ける受け付けステップと、前記受け付けステップでの指定の受け付け後に、前記表示制御ステップで表示された画像に施すべき画像処理を複数の種別の画像処理の中から選択する選択ステップと、前記受け付けステップで受け付けた指定位置及び前記選択ステップで選択された画像処理の種別に基づいて前記指定位置で指定される指定領域を決定する決定ステップとを備えることを特徴とする。
【手続補正１３】
【補正対象書類名】明細書
【補正対象項目名】００２９
【補正方法】削除
【補正の内容】
【手続補正１４】
【補正対象書類名】明細書
【補正対象項目名】００３０
【補正方法】削除
【補正の内容】
【手続補正１５】
【補正対象書類名】明細書
【補正対象項目名】００３１
【補正方法】削除
【補正の内容】
【手続補正１６】
【補正対象書類名】明細書
【補正対象項目名】００３２
【補正方法】削除
【補正の内容】
【手続補正１７】
【補正対象書類名】明細書
【補正対象項目名】００３３
【補正方法】削除
【補正の内容】
【手続補正１８】
【補正対象書類名】明細書
【補正対象項目名】００３４
【補正方法】変更
【補正の内容】
【００３４】
上記目的を達成するために、請求項１２記載のプログラムは、画像表示制御方法をコンピュータに実行させるプログラムにおいて、前記画像表示制御方法は、画像を表示装置に表示するよう制御する表示制御ステップと、前記表示された画像上における位置の指定を受け付ける受け付けステップと、前記受け付けステップでの指定の受け付け後に、前記表示制御ステップで表示された画像に施すべき画像処理を複数の種別の画像処理の中から選択する選択ステップと、前記受け付けステップで受け付けた指定位置及び前記選択ステップで選択された画像処理の種別に基づいて前記指定位置で指定される指定領域を決定する決定ステップとを備えることを特徴とする。
【手続補正１９】
【補正対象書類名】明細書
【補正対象項目名】００３５
【補正方法】変更
【補正の内容】
【００３５】
上記目的を達成するために、請求項１３記載の記憶媒体は、請求項１２記載のプログラムを格納することを特徴とする。
【手続補正２０】
【補正対象書類名】明細書
【補正対象項目名】００３６
【補正方法】削除
【補正の内容】
【手続補正２１】
【補正対象書類名】明細書
【補正対象項目名】００３７
【補正方法】削除
【補正の内容】
【手続補正２２】
【補正対象書類名】明細書
【補正対象項目名】００３８
【補正方法】削除
【補正の内容】
【手続補正２３】
【補正対象書類名】明細書
【補正対象項目名】００３９
【補正方法】削除
【補正の内容】
【手続補正２４】
【補正対象書類名】明細書
【補正対象項目名】００４０
【補正方法】削除
【補正の内容】
【手続補正２５】
【補正対象書類名】明細書
【補正対象項目名】００４１
【補正方法】削除
【補正の内容】
【手続補正２６】
【補正対象書類名】明細書
【補正対象項目名】００４２
【補正方法】削除
【補正の内容】
【手続補正２７】
【補正対象書類名】明細書
【補正対象項目名】００４３
【補正方法】削除
【補正の内容】
【手続補正２８】
【補正対象書類名】明細書
【補正対象項目名】００４４
【補正方法】変更
【補正の内容】
【００４４】
上記目的を達成するために、請求項１４記載の画像表示制御装置は、画像を表示装置に表示するよう制御する表示制御手段と、前記表示された画像上における領域の指定を受け付ける受け付け手段と、前記表示された画像から所定の特徴を有する少なくとも１つの特徴領域を検出する検出手段と、前記受け付け手段で受け付けた指定領域と前記検出手段によって検出した特徴領域との間における所定の関係に基づいて前記複数の種別の画像処理の中から少なくとも１つの画像処理を選択する選択手段とを備えることを特徴とする。
【手続補正２９】
【補正対象書類名】明細書
【補正対象項目名】００４５
【補正方法】削除
【補正の内容】
【手続補正３０】
【補正対象書類名】明細書
【補正対象項目名】００４６
【補正方法】削除
【補正の内容】
【手続補正３１】
【補正対象書類名】明細書
【補正対象項目名】００４７
【補正方法】削除
【補正の内容】
【手続補正３２】
【補正対象書類名】明細書
【補正対象項目名】００４８
【補正方法】削除
【補正の内容】
【手続補正３３】
【補正対象書類名】明細書
【補正対象項目名】００４９
【補正方法】削除
【補正の内容】
【手続補正３４】
【補正対象書類名】明細書
【補正対象項目名】００５０
【補正方法】変更
【補正の内容】
【００５０】
上記目的を達成するために、請求項１８記載の画像表示制御方法は、画像を表示装置に表示するよう制御する表示制御ステップと、前記表示された画像上における領域の指定を受け付ける受け付けステップと、前記表示された画像から所定の特徴を有する少なくとも１つの特徴領域を検出する検出ステップと、前記受け付けステップで受け付けた指定領域と前記検出ステップで検出した特徴領域との間における所定の関係に基づいて前記複数の種別の画像処理の中から少なくとも１つの画像処理を選択する選択ステップとを備えることを特徴とする。
【手続補正３５】
【補正対象書類名】明細書
【補正対象項目名】００５１
【補正方法】削除
【補正の内容】
【手続補正３６】
【補正対象書類名】明細書
【補正対象項目名】００５２
【補正方法】削除
【補正の内容】
【手続補正３７】
【補正対象書類名】明細書
【補正対象項目名】００５３
【補正方法】削除
【補正の内容】
【手続補正３８】
【補正対象書類名】明細書
【補正対象項目名】００５４
【補正方法】削除
【補正の内容】
【手続補正３９】
【補正対象書類名】明細書
【補正対象項目名】００５５
【補正方法】削除
【補正の内容】
【手続補正４０】
【補正対象書類名】明細書
【補正対象項目名】００５６
【補正方法】変更
【補正の内容】
【００５６】
上記目的を達成するために、請求項１９記載のプログラムは、画像表示制御方法をコンピュータに実行させるプログラムにおいて、前記画像表示制御方法は、画像を表示装置に表示するよう制御する表示制御ステップと、前記表示された画像上における領域の指定を受け付ける受け付けステップと、前記表示された画像から所定の特徴を有する少なくとも１つの特徴領域を検出する検出ステップと、前記受け付けステップで受け付けた指定領域と前記検出ステップで検出した特徴領域との間における所定の関係に基づいて前記複数の種別の画像処理の中から少なくとも１つの画像処理を選択する選択ステップとを備えることを特徴とする。
【手続補正４１】
【補正対象書類名】明細書
【補正対象項目名】００５７
【補正方法】変更
【補正の内容】
【００５７】
上記目的を達成するために、請求項２０記載の記憶媒体は、請求項１９記載のプログラムを格納することを特徴とする。
【手続補正４２】
【補正対象書類名】明細書
【補正対象項目名】００５８
【補正方法】変更
【補正の内容】
【００５８】
本発明によれば、画像処理の種別に依存することのない共通した操作により複数の種別の画像処理を容易に使い分けることができ、ユーザの操作性を向上させることができる。
【手続補正４３】
【補正対象書類名】明細書
【補正対象項目名】００５９
【補正方法】削除
【補正の内容】
【手続補正４４】
【補正対象書類名】明細書
【補正対象項目名】００６０
【補正方法】削除
【補正の内容】
【手続補正４５】
【補正対象書類名】明細書
【補正対象項目名】００６１
【補正方法】削除
【補正の内容】
【手続補正４６】
【補正対象書類名】明細書
【補正対象項目名】００６２
【補正方法】削除
【補正の内容】
【手続補正４７】
【補正対象書類名】明細書
【補正対象項目名】００６３
【補正方法】削除
【補正の内容】
【手続補正４８】
【補正対象書類名】明細書
【補正対象項目名】００６４
【補正方法】削除
【補正の内容】
【手続補正４９】
【補正対象書類名】明細書
【補正対象項目名】００６５
【補正方法】削除
【補正の内容】